(57)【特許請求の範囲】
【請求項１】
長手軸（Ｘ；Ｘ’）に沿って延び、積載された消火剤が内部に存在する貯蔵チャンバ（４；４’）を画定する本体（２；２’）と、火工式ガスジェネレータ（２０；２０’）を備えた加圧チャンバ（５；５’）と、を備えている消火器（１；１’）であって、加圧チャンバ（５；５’）が、火工式ガスジェネレータ（２０；２０’）の流出部を貯蔵チャンバ（４；４’）と連通させるように構成された、穴が開けられた壁（７；７’）により、貯蔵チャンバ（４；４’）から分けられており、穴が開けられた壁（７；７’）が、貯蔵チャンバ（４；４’）の端部を画定しており、消火器が、火工式ガスジェネレータ（２０；２０’）の動作中に、消火剤を消火器（１；１’）の外側に搬送するように構成された排出チャネル（１２；１２’）を有し、
穴が開けられた壁が、貯蔵チャンバの底部を画定し、前記排出チャネル（１２；１２’）が、貯蔵チャンバ（４；４’）内に、穴が開けられた壁（７；７’）から、本体の長手軸に沿って測定した、貯蔵チャンバ（４；４’）の長さ
【数１】
0006768721.tif 000007
の半分以下である、ある距離（ｄ）に位置する開口（１２ａ；１２’ａ）を通って開いており、
距離（ｄ）が、開口の中心と穴が開けられた壁との間の距離であることを特徴とする、消火器（１；１’）。
【請求項２】
シールする方式で排出チャネル（１２）を閉じる第１のシャッタ（１５）をさらに備え、前記第１のシャッタ（１５）が、貯蔵チャンバ（４）内の圧力があらかじめ規定された値を超えた際に、消火剤が消火器の外に、排出チャネル（１２）を通って出ることを可能にするように構成されている、請求項１に記載の消火器。
【請求項３】
穴が開けられた壁（７）が少なくとも１つの穴（８）を含み、消火器が、シールする方式で前記少なくとも１つの穴（８）を閉じる第２のシャッタをも含み、前記第２のシャッタが、ガスジェネレータによって生じる燃焼ガスの圧力の影響下で、前記ガスが貯蔵チャンバ（４）内に、前記少なくとも１つの穴（８）を通って流れることを可能にするように作用するように構成されている、請求項１または請求項２に記載の消火器。
【請求項４】
排出チャネル（１２）が、加圧チャンバ（５）を通り、開口（１２ａ）が、穴が開けられた壁（７）内に位置している、請求項１から請求項３のいずれか一項に記載の消火器。
【請求項５】
加圧チャンバ（５）が、穴が開けられた壁（７）と、本体の端部壁（２ｂ）との間に位置し、排出チャネル（１２）が、端部壁（２ｂ）をも通っている、請求項４に記載の消火器。
【請求項６】
開口（１２’ａ）が、本体（２’）の側壁（２’ａ）内に位置している、請求項１から請求項３のいずれか一項に記載の消火器。
【請求項７】
開口（１２ａ；１２’ａ）と穴が開けられた壁（７；７’）との間の距離（ｄ）が、貯蔵チャンバ（４；４’）の長さ
【数２】
0006768721.tif 000008
の４分の１以下である、請求項１から請求項６のいずれか一項に記載の消火器。
【請求項８】
開口（１２ａ；１２’ａ）と穴が開けられた壁（７；７’）との間の距離（ｄ）が、貯蔵チャンバ（４；４’）の内径（Ｄ）以下である、請求項１から請求項７のいずれか一項に記載の消火器。
【請求項９】
（貯蔵チャンバ（４；４’）の長さ
【数３】
0006768721.tif 000009
）／（貯蔵チャンバ（４；４’）の内径（Ｄ））の比が、１０以下である、請求項１から請求項８のいずれか一項に記載の消火器。
【請求項１０】
穴が開けられた壁（７）が、消火器の長手軸（Ｘ）周りに分布した複数の穴（８）を提供する、請求項１から請求項９のいずれか一項に記載の消火器。
【請求項１１】
消火剤がパウダの形態である、請求項１から請求項１０のいずれか一項に記載の消火器。
【請求項１２】
ガスジェネレータ（２０’）が、火工装薬（２３）を包含する少なくとも１つのハウジング（２２）を含み、前記火工装薬（２３）が、貫通チャネル（２４）を提供している、請求項１から請求項１１のいずれか一項に記載の消火器。
【請求項１３】
ガスジェネレータ（２０’）が、複数のハウジング（２２）を含み、各ハウジングが火工装薬（２３）を包含し、前記ハウジングが、本体の長手軸（Ｘ）周りに配置されている、請求項１から請求項１２のいずれか一項に記載の消火器。
【請求項１４】
ハウジング（２２）が、前記ハウジング（２２）内に存在する火工装薬（２３）を点火するように構成された点火装置（２５）周りに配置されている、請求項１３に記載の消火器。
【請求項１５】
請求項１から請求項１４のいずれか一項に記載の消火器（１；１’）を備える自動車。
【発明の詳細な説明】
【技術分野】
【０００１】
本発明は、火工式ガスジェネレータを含む消火器に関する。
【背景技術】
【０００２】
消火器は、慣習的に、消火のために、火の領域に搬送される消火剤を包含するタンクの形態である。消火器のいくつかのタイプが、最新技術において知られている。
【０００３】
特に、恒久的に圧力がかけられている消火器が知られている。この消火器には、消火剤を包含する、ガスの圧力がかけられたタンク、または、消火剤が存在するチャンバと連通している、圧力がかけられたガス円筒を備えている。このタイプの消火器では、消火剤または、消火剤を押し出すための推進ガスが、恒久的に圧力下で貯蔵されている。加圧されたガス円筒を有する消火器を使用するためには、ガス円筒は、消火剤を含むチャンバ内に圧力ガスを解放するために、最初に、ユーザによって始動される。次いで、この方法で圧力下に置かれた消火剤が、手動動作により、火の領域に搬送される。
【０００４】
恒久的に圧力がかけられている消火器には、特に、一定数の監視および検証操作（定期的な検量）を必要とするなど、一定の欠点が存在する。さらに、ガスの圧力が温度とともに変化することから、このタイプの消火器の動作は、温度の影響を受けやすい。別の欠点は、消火剤を搬送している間、ガスに関して利用可能な体積が増大し、このため、ガスの圧力が低減され、これにより、消火剤が搬送される量が低減され、結果として、消火器の効率が低減されることである。この欠点を緩和する試みでは、消火剤の搬送の開始時において利用可能な圧力を増大させることが可能である。しかしながら、安全性の理由から、そのような解決策では、寸法を過度に大きくする必要があり、したがって、消火器全体のサイズを増大させ、消火器の費用をも増大させる。
【０００５】
恒久的に圧力がかけられている消火器の代替案として、火工式ガスジェネレータを含む、第２のタイプの消火器が提案されている。火工式ガスジェネレータは、燃焼ガスを提供することを可能にする。この燃焼ガスは、消火剤が存在するチャンバを加圧し、次いで、前記消火剤を火の領域に搬送する役割を果たす。火工式ガスジェネレータを有するそのような消火器は、比較的高い性能を提供し、恒久的に圧力をかける消火器の欠点のいくつかを緩和する役割を果たす。
【０００６】
具体的には、独国実用新案第２０２００６００２８９２号明細書の文献に、圧力がかけられたガスの円筒を利用する、恒久的に圧力がかけられた消火器の構造に比較的近い構造を提供する、火工式ガスジェネレータを有する消火器が開示されている。この文献では、ガスジェネレータは、タンクの一方の端部に位置する手動の打機によって始動し、また、このタンクは、第１のディップチューブを介して、積載された消火剤と連通している。第２のディップチューブは、流出オリフィスと接続されており、消火剤を流出オリフィスに向ける役割を果たす。トリガを有するランスは、流出オリフィスと連通しており、ユーザによって始動された後に、消火剤を外部の環境に搬送することを可能にする。
【０００７】
独国実用新案第２０２００６００２８９２号明細書の文献の消火器により、一定の利点が提供されるが、それでもなお、依然として、特に、そのような消火器の製造のコストを低減するために、その構造を単純化することが望ましい。さらに、消火剤が搬送される量は、そのタイプの消火器では、常に最適というわけではない。
【先行技術文献】
【特許文献】
【０００８】
【特許文献１】独国実用新案第２０２００６００２８９２号明細書
【発明の概要】
【発明が解決しようとする課題】
【０００９】
このため、単純化され、製造コストが低減された構造を提供する、消火器を利用可能とする必要がある。
【００１０】
消火剤を搬送する流量を最適化する消火器を利用可能とすることも必要である。
【課題を解決するための手段】
【００１１】
このため、第１の態様では、本発明は、長手軸に沿って延び、積載された消火剤が内部に存在する貯蔵チャンバを画定する本体と、火工式ガスジェネレータを備えた加圧チャンバと、を備えている消火器であって、加圧チャンバが、火工式ガスジェネレータの流出部を貯蔵チャンバと連通させるように構成された、穴が開けられた壁により、貯蔵チャンバから分けられており、穴が開けられた壁が、貯蔵チャンバの端部を画定しており、消火器が、火工式ガスジェネレータの動作中に、消火剤を消火器の外側に搬送するように構成された排出チャネルを有し、前記排出チャネルが、貯蔵チャンバ内に、穴が開けられた壁から、本体の長手軸に沿って測定した、貯蔵チャンバの長さの半分以下である、ある距離に位置する開口を通って開いている、消火器を提供する。
【００１２】
火工式ガスジェネレータは、貯蔵チャンバ内に、前記ガスジェネレータの流出部および穴が開けられた壁を通って流れ、それにより、貯蔵チャンバを圧力下に置くようになっている、燃焼ガスを提供するように構成されている。排出チャネルは、消火剤を、貯蔵チャンバが燃焼ガスによる圧力下に置かれる結果として、消火器の外部の環境に搬送することを可能にするように構成されている。
【００１３】
本発明の消火器は、第１に、ガスジェネレータを含む区画と、消火剤を含む区画との間が分離されており、第２に、排出チャネルが、貯蔵チャンバの端部に比較的近接している方式で配置されている、特定の構成を提供する。本発明者は、この特定の構成が、有利には、積載された消火剤の大部分、または、重量のほぼすべてさえも、搬送することを可能にする一方、貯蔵チャンバ内でのディップチューブの使用を不要とする、単純化された構造を提供する、高性能の消火器を提供する役割を果たすことに気付いている。結果として、本発明は、特に独国実用新案第２０２００６００２８９２号明細書に記載の消火器に比べ、著しく少ない製造コストを呈する、有効な消火器を提供する。
【００１４】
一実施形態では、消火器は、シールする方式で排出チャネルを閉じる第１のシャッタをもさらに備え得、前記第１のシャッタが、貯蔵チャンバ内の圧力があらかじめ規定された値を超えた際に、消火剤が消火器の外に、排出チャネルを通って出ることを可能にするように構成されている。
【００１５】
上述のように、消火剤が搬送される量は、独国実用新案第２０２００６００２８９２号明細書の文献に教示される種類の消火器を使用する場合、常に最適であるわけではない。本発明者は、手動による始動を使用するこのタイプの消火器が直面し得る問題は、ユーザが流出オリフィスの開口を始動する際に、タンク内の圧力が著しく低減され得ることであることに気付いている。具体的には、火工式ガスジェネレータによって生じたガスが高温であり、このため、タンクを加圧する影響が、ガスの冷却の結果として、冷却ガスを搬送するガスカートリッジを使用する場合に得られる加圧の影響よりも一時的である。したがって、独国実用新案第２０２００６００２８９２号明細書の文献の構造で生じ得るような、始動が手動である結果としての消火剤の放出の遅延は、生じないことが有利である。このため、第１のシャッタを使用する上述の構成は、有利には、消火剤が消火器によって搬送される量を最適化する役割を果たす。この理由は、貯蔵チャンバ内で、所定の圧力の閾値に達するとすぐに、第１のシャッタが自動的に作動して（すなわち、ユーザによるいずれの動作も必要としない）、消火剤が消火器の外に搬送されることを許容するためである。そのような構成は、有利には、消火剤を搬送するために、ガスジェネレータによって生じた過度の圧力を最適に利用する役割を果たし、また、この構成により、タンク内の過度の圧力がすでに著しく低減された瞬間において生じ得る、ユーザの始動の問題を回避している。このため、そのような構成により、有利には、ガスカートリッジに比べ、火工式ガスジェネレータによって得られる利点を最適に利用することが可能になる。この利点は、急激に低下する流量のプロファイルを生じるガスカートリッジとは異なり、ガスの流量に関する適切な時間のプロファイルでガスを生じる能力に関連付けられている。
【００１６】
一実施形態では、穴が開けられた壁は、少なくとも１つの穴を含み得、消火器は、シールする方式で前記少なくとも１つの穴を閉じる第２のシャッタをも含み得、前記第２のシャッタが、ガスジェネレータによって提供される燃焼ガスの圧力の影響下で、前記ガスが貯蔵チャンバ内に、前記少なくとも１つの穴を通って流れることを可能にするように作用するように構成されている。
【００１７】
第２のシャッタの存在は、ガスジェネレータを隔離し、保護するために有利であり、それにより、前記ガスジェネレータが消火剤によって汚染されるのを防止するようになっている。
【００１８】
一実施形態では、開口は、本体の側壁に位置し得る。
【００１９】
一実施形態では、開口と、穴が開けられた壁との間の距離は、貯蔵チャンバの長さの４分の１以下である場合がある。
【００２０】
そのような構成は、有利には、作動時に消火器によって搬送され得る、積載された消火剤の割合をさらに増大させる役割を果たす。
【００２１】
一実施形態では、開口と、穴が開けられた壁との間の距離は、貯蔵チャンバの内径以下である場合がある。
【００２２】
貯蔵チャンバの直径は、貯蔵チャンバの横方向のもっとも大である寸法に対応している。
【００２３】
そのような構成は、有利には、作動時に消火器によって搬送され得る、積載された消火剤の割合をさらに増大させる役割を果たす。
【００２４】
変形形態では、排出チャネルは、加圧チャンバを通っている場合があり、開口は、穴が開けられた壁に位置している場合がある。このため、本発明の実施形態では、開口は、穴が開けられた壁からゼロ距離に位置し得る。
【００２５】
そのような構成は、有利には、積載された消火剤の、特に高い割合を搬送することが可能である消火器を提供する役割を果たす。
【００２６】
特に、加圧チャンバは、穴が開けられた壁と、本体の端部壁との間に位置し得、排出チャネルが、端部壁をも通っている。変形形態では、排出チャネルは、穴が開けられた壁、加圧チャンバ、および、この加圧チャンバの高さの、本体の側壁を通っている。
【００２７】
一実施形態では、（貯蔵チャンバの長さ）／（貯蔵チャンバの内径）の比は、１０以下である場合がある。
【００２８】
そのような構成は、有利には、作動時に消火器によって搬送され得る、積載された消火剤の割合をさらに増大させる役割を果たす。
【００２９】
一実施形態では、穴が開けられた壁により、消火器の長手軸周りに分布した複数の穴が提供され得る。
【００３０】
一実施形態では、消火剤は、パウダの形態である場合がある。変形形態では、消火剤は、いくつかの他の形態、たとえば、泡状物質の形態である場合がある。
【００３１】
一実施形態では、ガスジェネレータは、火工装薬を包含する少なくとも１つのハウジングを含み得、前記火工装薬は、貫通チャネルを提供している。
【００３２】
火工装薬内のそのような貫通チャネルの存在は、有利には、前記装薬の燃焼の間、ガスが生成される量を制御し、可能であれば、この量を一定にさえする役割を果たす。
【００３３】
一実施形態では、ガスジェネレータは、複数のハウジングを含み得、これらハウジングの各々は、火工装薬を含んでいる。前記ハウジングは、本体の長手軸周りに配置されている。さらに、ハウジングは、前記ハウジング内に存在する火工装薬を点火するように構成された点火装置の周りに配置され得る。
【００３４】
そのような構成は、有利には、比較的コンパクトなガスジェネレータの構造を提供する役割を果たす。
【００３５】
本発明は、上述の消火器を備える自動車をも提供する。
【００３６】
具体的には、この自動車はバスである場合がある。一実施形態では、消火器は、自動車に組み込まれており、それにより、前記自動車のエンジンで、火災を消すことを可能にするようになっている。
【００３７】
本発明の他の特性および利点は、非限定的な例として与えられ、添付図面を参照する、本発明の特定の実施形態の以下の詳細な説明から明らかとなる。
【図面の簡単な説明】
【００３８】
【図１】本発明の例示的消火器を示す図である。
【図２】図１の消火器の長手方向の断面図である。
【図３】図１の消火器の細部を示す図である。
【図４】図１の消火器の動作を示す図である。
【図５】本発明の消火器の別の例を示す図である。
【図６】図５の消火器の動作を示す図である。
【図７】図１の例で使用可能である火工式ガスジェネレータの変形形態を示す図である。
【発明を実施するための形態】
【００３９】
図１は、本発明の例示的な消火器１を示す図である。この消火器は、長手軸Ｘに沿って延び、貯蔵チャンバ４を画定する本体２を備えている。この貯蔵チャンバ４内には、積載された消火剤（図示せず）が存在する。図示の例では、消火剤はパウダの形態である。このパウダは、たとえば、クラスＡ、Ｂ、またはＣの、消火に有用であることが知られている任意のパウダとすることができる。上述のように、本発明は、泡状物質などの、他の形態の消火剤を使用することを含む。以下に詳細に記載するように、消火剤が密にされていないパウダの形態であることは有利である。本体２は、火工式ガスジェネレータを包含する加圧チャンバ５をも画定する。加圧チャンバ５は、穴が開けられた壁７によって貯蔵チャンバ４から分けられている。壁７は、火工式ガスジェネレータの流出部を貯蔵チャンバ４と連通させるように構成されている。図示の例では、本体２により、回転体、具体的には円筒形状が提供される。当然、本発明は、本体２に関して、そのような形状に限定されない。本体２は、本体２の長手軸Ｘに沿って延び、貯蔵チャンバ４を囲む側壁２ａを備えている。本体の側壁２ａは、加圧チャンバ５をも囲んでいる。本体２は、底端壁２ｂおよび頂端壁２ｃをも含んでいる。底端壁２ｂと頂端壁２ｃとは、本体２を長手方向に画定している。加圧チャンバ５は、穴が開けられた壁７と、本体２の底端壁２ｂとの間に位置している。貯蔵チャンバ４は、本体２の頂端壁２ｃと、穴が開けられた壁７との間に位置している。この壁７は、貯蔵チャンバ４の底部を画定している。火工式ガスジェネレータの作動の間に、流動層の形成を増大させることにより、消火器によって搬送される消火剤の量を向上させるために、比
【数１】
0006768721.tif 000002
が有利には、１０以下、たとえば６以下、たとえば５以下とされ得る。ここで、Ｄは、貯蔵チャンバ４の内径であり、
【数２】
0006768721.tif 000003
は、長手軸Ｘに沿って測定される貯蔵チャンバの長さである。この比
【数３】
0006768721.tif 000004
は、３以上である場合がある。貯蔵チャンバ４の長さ
【数４】
0006768721.tif 000005
は、たとえば、４５センチメートル（ｃｍ）から９０ｃｍの範囲にある場合がある。貯蔵チャンバ４の内径Ｄは、たとえば、１０ｃｍから２０ｃｍの範囲にある場合がある。たとえば、内径Ｄは、１５ｃｍにほぼ等しい場合がある。
【００４０】
図２は、図１の消火器１の長手軸Ｘ上の断面図である。図２は、加圧チャンバ５の構成を詳細に示している。図示のように、加圧チャンバ５は、貯蔵チャンバ４を加圧するために、燃焼ガスを提供するように構成された火工式ガスジェネレータ２０を含んでいる。図示の例では、ガスジェネレータ２０は、複数のハウジング２２を有しており、これらハウジング２２の各々は、火工装薬２３を含んでいる。ガスジェネレータ２０は、ハウジング２２内に存在する火工装薬２３を点火するように構成された点火装置２５をも含んでいる。ガスジェネレータ２０は、（図２に示すように）起爆剤の端子に電流を印加することによって電気的に点火することができるか、機械的に点火することができる（衝撃による点火）。機械的点火では、打機が点火装置に衝突する。外周全体の下では、点火用デバイス２５の始動により、図示の例では積層されたブロックの形態である中心の装薬２７の燃焼をもたらし、それにより、火工装薬２３の燃焼、および、燃焼の結果生じるガスの解放をもたらす。ガスジェネレータ２０が、その火工装薬を備える単一のハウジングを有することは、本発明の範囲を超えることにはならない。
【００４１】
火工装薬２３は、一体構造のブロックの形態である場合があり、場合によっては、以下に詳細に記載するように、少なくとも１つの開いたチャネルを備えている。変形形態では、火工装薬２３は、粒状材料の形態である場合がある。当然、一体構造のブロックの形態の、火工装薬の第１の部分と、粒状材料の形態の、火工装薬の第２の部分とを包含する、単一のガスジェネレータを有することが可能である。
【００４２】
消火器１のガスジェネレータ２０に使用される火工装薬２３は、エアバッグのためのガスジェネレータに通常使用される火工装薬と同じ組成を有する場合がある。当然、火工装薬２３は、意図される動作の持続時間に適合する寸法を示す（すなわち、エアバッグのガスジェネレータに使用される火工装薬の寸法よりも大である）。本発明の消火器のガスジェネレータに使用するのに適切である火工品組成は、以下の文献に特に記載されている。米国特許第５６０８１８３号明細書、米国特許第６１４３１０２号明細書、仏国特許出願公開第２９７５０９７号明細書、仏国特許発明第２９６４６５６号明細書、仏国特許発明第２９５０６２４号明細書、仏国特許発明第２９１５７４６号明細書、仏国特許発明第２９０２７８３号明細書、仏国特許発明第２８９９２２７号明細書、仏国特許発明第２８９２１１７号明細書、仏国特許発明第２８９１８２２号明細書、仏国特許発明第２８６６０２２号明細書、仏国特許発明第２７７２３７０号明細書、および仏国特許発明第２７１４３７４号明細書。例として、ガスジェネレータは、少なくとも５つの火工装薬２３、たとえば、少なくとも１０の火工装薬、たとえば、少なくとも２０の火工装薬を有する場合がある。
【００４３】
消火器１は、火工式ガスジェネレータ２０が動作している際に、消火剤を消火器１の外側に搬送するように構成された排出チャネル１２をも提供する。図２に示す例では、チャネル１２は加圧チャンバ５および穴が開けられた壁７を通り、貯蔵チャンバ４内に直接開口している。このため、チャネル１２は、穴が開けられた壁７に位置する開口１２ａを通して貯蔵チャンバ４内に開口している。そのような状況下では、開口１２ａは、穴が開けられた壁からゼロの距離に配置されており、このため、必然的に、貯蔵チャンバの長さの半分以下の距離にある。チャネル１２は、本体２の底端壁２ｂをも通っている。消火器１は、火工式ガスジェネレータが、本体の底端壁２ｂに位置する流出オリフィス１０を通して作動する際に、消火剤を搬送するように構成されている。このため、図２に示す例では、チャネル１２は、貯蔵チャンバ４内に開口する、開口１２ａによって構成された第１の端部と、消火器１の外側に開いた、開口が流出オリフィス１０によって構成された第２の端部とを提供する。図示の例では、チャネル１２は、本体の長手軸Ｘに沿って延びている。例として、チャネル１２は、２０ミリメートル（ｍｍ）から４０ｍｍの範囲にある直径Ｄ１（すなわち、もっとも大である横方向の寸法）を提供し得る。図示されていない変形形態では、流出オリフィスが本体の側壁の、加圧チャンバの高さに存在し、前記オリフィスが同じ方式で、貯蔵チャンバと、加圧チャンバおよび穴が開けられた壁を通るチャネルを介して連通し、貯蔵チャンバ内に直接開口することが可能である。
【００４４】
消火器１は、シールする方式で排出チャネル１２を閉じる第１のシャッタ１５をも有している。第１のシャッタ１５は、貯蔵チャンバ４内の圧力があらかじめ規定された値を超えた際に、消火剤が消火器１の外に、チャネル１２を通って出ることを可能にするように構成されている。換言すると、第１のシャッタ１５は、第１の構成である場合、消火剤が消火器１の外に外に出ることを防止するように構成されている。第１のシャッタ１５は、貯蔵チャンバ４内の圧力があらかじめ規定された値を超えた場合に第２の構成に移行するようにも構成されている。第１のシャッタ１５のこの第２の構成では、消火剤が消火器１の外に出ることを可能にしている。例として、第１のシャッタ１５は、貯蔵チャンバ４内の圧力があらかじめ規定された値を超えた際に圧力に屈するように構成されたダイアフラムの形態とすることができる。そのような状況下では、例として、第１のシャッタ１５は、アルミニウム、または、インコネル（Ｒ）タイプの合金で形成されたダイアフラムである場合がある。変形形態では、第１のシャッタ１５は、貯蔵チャンバ４内の圧力があらかじめ規定された値を超えた際に、圧力に屈することなく動くように構成され得、それにより、消火剤が、排出チャネル１２および流出オリフィス１０を通って消火器の外に出ることを可能にしている。そのような状況下では、例として、第１のシャッタ１５は、バルブの形態である場合があり、たとえば、バネで負荷されたバルブの形態である。上述のように、第１のシャッタの存在は、ユーザが、消火器の外への消火剤の搬送を始動する必要性を避けるために、有利である。このことは、有利には、消火器によって搬送される消火剤の流れを最適化する役割を果たす。
【００４５】
消火器が、複数の排出チャネルを有し、これらチャネルのいくつかまたはすべてに、上述のように第１のシャッタが設けられていないことは、本発明の範囲を超えることにはならない。消火器がそのような第１のシャッタを有していない場合も、本発明の範囲を超えることにはならない。そのような状況下では、消火器の外への消火剤の搬送は、ユーザによって作動される。
【００４６】
図３は、穴が開けられた壁７をより詳細に示している。穴が開けられた壁７は、火工式ガスジェネレータを、貯蔵チャンバ内に存在する消火剤から分離している。穴が開けられた壁７は、火工式ガスジェネレータの流出部を貯蔵チャンバと連通させるように構成されている。図示のように、例として、穴が開けられた壁７は、火工式ガスジェネレータによって生じる燃焼ガスが貯蔵チャンバ内に流れることを可能にするように構成された、複数の穴８を有するプレートの形態である場合がある。穴が開けられた壁７により、消火器１の本体２の長手軸Ｘ周りに分布した複数の穴８が提供されている。図示の例では、穴が開けられた壁を通る燃焼ガスの流れ方向は、本体の長手軸に対しほぼ平行である。一実施形態では、穴８は、ガスジェネレータのためのノズルとして作用する。穴が開けられた壁７は、横方向、たとえば、本体の長手軸に対して垂直に延びている。
【００４７】
穴が開けられた壁７の穴８のいくつかまたはすべては、消火器１を最初に使用する前に、第２のシャッタにより、シールする方式で閉じられ得る。この第２のシャッタは、ガスジェネレータによって生じる燃焼ガスの圧力の影響下では、前記ガスが穴を通って燃焼チャンバ内に流れることを可能にするように構成されている。例として、第２のシャッタは、貯蔵チャンバに位置し、穴が開けられた壁７をカバーし得るか、加圧チャンバ内に位置し得る、ダイアフラムの形態である場合がある。このダイアフラムは、穴が開けられた壁７と接触している場合がある。例として、ダイアフラムは、ポリエチレンテレフタレートなどのプラスチック材料で形成され得るか、火工式ガスジェネレータによる圧力を受けた際のせん断で作用するように、アルミニウムまたはスズのフィルムなどの接着性の金属フィルムなどである場合がある。ダイアフラムは、有利には、穴が開けられた壁７に接着剤で貼り付けられ得る。第２のシャッタは、ガスジェネレータによって生じた燃焼ガスの圧力の影響下で、圧力に屈するのに適切である場合がある。このことは、前記ガスを貯蔵チャンバ内に流すことを可能にすることを目的としている。第２のシャッタの存在は、ガスジェネレータを隔離し、保護するために有利であり、それにより、前記ジェネレータが消火剤によって汚染されるのを防止し、火工装薬（複数の場合もある）の点火にわたり、良好な制御を与える。当然、消火器がそのような第２のシャッタを有していないことは、本発明の範囲を超えることにはならない。
【００４８】
このため、図１から図３に特に示すように、消火器１は、消火剤を流出オリフィスに向けて移送する目的のために、積載された消火剤内に延びるディップチューブを有していない。同様に、消火器１は、積載された消火剤内に延び、ガスジェネレータによって生じる燃焼ガスを積載された消火剤内に移送する役割を果たすディップチューブを有していない。このため、本発明は、有利には、従来技術に比べて低減された構成要素数を提示する消化器を提供する役割を果たし、このため、少なくとも等しい効率を有する、より軽量でより低額の構造を有する。
【００４９】
図１から図３を参照して記載する消火器１の動作を、以下に記載する。
【００５０】
火工式ガスジェネレータの作動により、１つまたは複数の火工装薬を燃焼させ、それにより、燃焼ガスを生じる役割を果たす。コンビネーションガスの圧力の影響下では、第２のシャッタにより、燃焼ガスが、穴が開けられた壁を通って貯蔵チャンバに流れ、消火剤と接触することを可能にする経路が与えられる。こうして、燃焼ガスは、貯蔵チャンバを圧力下に置く役割を果たす。貯蔵チャンバ内では、積載された消火剤が、上述のようにパウダの形態である場合がある。パウダは、有利には、そのパウダの理論上の密度の４０％から５５％の範囲にある、見かけ上の密度を提供する場合がある。燃焼ガスが貯蔵チャンバ内に通り抜ける場合、パウダの見かけ上の密度のそのような値が、有利には、消火器の外部への消火剤の搬送を向上させる、流動層を形成する役割を果たす。貯蔵チャンバ内の圧力に関し、あらかじめ規定された値に達すると、第１のシャッタが第２の構成となり、消火剤が、排出チャネルおよび流出オリフィスを通って消火器の外に出ることを可能にする。第１のシャッタが第２の構成となる、貯蔵チャンバ内のあらかじめ規定された圧力値は、２０バー以上であるか、４０バー以上でさえある場合がある。消火剤が消火器の外に排出される間の時間は、たとえば、１秒以上であるか、５秒以上であるか、むしろ１０秒以上である場合がある。有利な変形形態では、ガスジェネレータは、第１のシャッタが第２の構成となった後、作動を継続する。このことは、有利には、消火器の外に排出される消火剤の割合を増大させる役割を果たす。変形形態では、ガスジェネレータは、第１のシャッタが第２の構成となった後に、作動を停止する。上述のように、図示の構成は、有利には、流出オリフィスが消火剤でブロックされることを避ける役割を果たし、こうして、消火剤のかなりの部分が消火器の外に排出されることを可能にする。作動時には、消火器は、水平であるか、垂直である場合があり、たとえば、消火器は自動車に取り付けられている場合がある。図４は、図１の消火器がどのように動作するかを、かなり概略的方式で示す図である。貯蔵チャンバ４内に通り抜ける燃焼ガスは、図４中に矢印Ｉで示されており、消火器１の外にでる消火剤は、矢印Ｓで示されている。図示の例では、燃焼ガスが貯蔵チャンバ内に通り抜ける方向と、消火剤が消火器の外に出る方向とは、両方とも、本体２の長手軸Ｘに対しほぼ平行である。
【００５１】
図５は、本発明の変形形態の消火器１’を示す図である。図１に示す消火器１と同じ方式で、消火器１’は、積載された消火剤が存在する貯蔵チャンバ４’と、火工式ガスジェネレータを包含する加圧チャンバ５’とを画定する本体２’を備えている。加圧チャンバ５’は、穴が開けられた壁７’によって貯蔵チャンバ４’から分けられている。壁７’は、火工式ガスジェネレータからの流出部を貯蔵チャンバ４’と連通させるように構成されている。たとえば、図１と同じ方式で、穴が開けられた壁７’により、消火器１’の本体２’の長手軸Ｘ’周りに分布した複数の穴８’が提供されている。図１に示す例とは異なり、排出チャネル１２’は、本体の側壁２’ａを通っている。排出チャネル１２’は、貯蔵チャンバ４’内に、穴が開けられた壁７’からｄの距離に位置する開口１２’ａを介して開いている。この距離は、貯蔵チャンバの長さ
【数５】
0006768721.tif 000006
の半分以下であるか、むしろこの長さの４分の１以下であるか、それよりさらに短く、または、貯蔵チャンバの内径Ｄに等しい。図５および図６に示すように、距離ｄは、開口１２’ａの中心と、穴が開けられた壁７’との間の距離に対応する。図５および図６に示す例では、チャネル１２’は、貯蔵チャンバ４’内に開口し、開口１２’ａによって構成された第１の端部と、消火器１の外側に開口し、流出オリフィス１０’によって構成された第２の端部とを有している。図１の実施形態のように、消火器１’は、任意選択的に、第１のシャッタおよび／または第２のシャッタを含み得る。
【００５２】
図５に示す消火器１’の動作を、図６に、かなり概略的に記載する。貯蔵チャンバ４’内に通り抜ける燃焼ガスは、図６中に矢印Ｉで示されており、消火器１’の外への消火剤の出口は、矢印Ｓで示されている。図示の例では、燃焼ガスは、本体２’の長手軸Ｘ’にほぼ平行な方向に、貯蔵チャンバ内に通り抜け、消火剤は、本体２’の長手軸Ｘ’にほぼ垂直な方向Ｓで、消火器の外に出る。
【００５３】
図７は、図１の例での使用に適する、火工式ガスジェネレータ２０’の変形形態を示す図である。ガスジェネレータ２０’は、複数のハウジング２２を備えており、これらハウジング２２の各々は、火工装薬２３を含んでいる。ハウジング２２は、消火器の本体の長手軸周りに配置されている。図示のように、ハウジング２２は、（本体の長手軸に対して垂直に）半径方向に延びている。図７に示す例には、ハウジングの第１のグループが、ハウジングの第２のグループの上に重ねて備えられている。ハウジングの第１のグループは、本体の第１の高さに存在し、ハウジングの第２のグループは、第１の高さとは異なる、本体の第２の高さに存在している。当然、火工式ガスジェネレータが、消火器の本体の長手軸周りに位置する単一のグループのハウジングを有し、前記ハウジングがすべて、本体の同じ高さに存在することは、本発明の範囲を超えることにはならない。図７の例では、ハウジング２２は、前記ハウジング内に存在する火工装薬２３を点火するように構成された点火装置２５周りに位置している。点火装置２５は、放射状のオリフィスを提供し、各オリフィスは、火工装薬２３に面して配置されている。図７に示すように、点火装置２５は、火工式ガスジェネレータ２０’の中心部分に存在している。さらに、図７に示すように、火工装薬２３のいくつかまたはすべては、開いたチャネル２４を提供し得る。各チャネル２４は、火工装薬２３の２つの対向する端部に開いている。火工装薬を通るそのようなチャネルの存在は、有利には、前記火工装薬の燃焼の間、ガスが生成される量を制御し、場合によって、この量を一定にさえする役割を果たす。図７に示すガスジェネレータ２０’は、有利には、空間をほとんど占めない、比較的コンパクトな構造を提供する。当然、変形形態では、チャネル１２の存在を避けること、および、図５に示す例の消火器のものと同じタイプの火工式ガスジェネレータを組み込むことは可能である。
【００５４】
「．．．から．．．の範囲内にある（ｌｙｉｎｇ  ｉｎ  ｔｈｅ  ｒａｎｇｅ．．．ｔｏ．．．）」との用語は、各境界を含むものと理解されるものとする。
【図１】
0006768721.tif 000010
【図２】
0006768721.tif 000011
【図３】
0006768721.tif 000012
【図４】
0006768721.tif 000013
【図５】
0006768721.tif 000014
【図６】
0006768721.tif 000015
【図７】
0006768721.tif 000016